(57)【要約】【課題】全方位を撮影可能であって、様々なシーンの撮影に対応可能な撮像装置を提供する。【解決手段】撮像装置であって、ユーザに装着可能な形状の筐体１０１と、筐体１０１に配置され、全方位を撮影可能な複数の撮像手段と、被写体または撮像領域の少なくとも一部に第１光を照射する第１照明手段と、を備える。【選択図】図１
2020197656.tif 000002
【特許請求の範囲】
【請求項１】
ユーザに装着可能な形状の筐体と、
前記筐体に配置され、全方位を撮影可能な複数の撮像手段と、
被写体または撮像領域の少なくとも一部に第１光を照射する第１照明手段と、を備えることを特徴とする撮像装置。
【請求項２】
前記被写体または前記撮像領域の少なくとも一部に、前記第１光とは波長の異なる第２光を照射する第２照明手段を備えることを特徴とする、請求項１に記載の撮像装置。
【請求項３】
前記第１光は、近赤外波長帯に含まれる波長であり、
前記第２光は、可視波長帯域に含まれる波長であることを特徴とする請求項２に記載の撮像装置。
【請求項４】
前記第１照明手段および前記第２照明手段は、それぞれ複数の光源を有し、
前記複数の光源によって装着時における前記ユーザを中心とした３６０°の全方位に光を照射することを特徴とする請求項２または３に記載の撮像装置。
【請求項５】
外部からの入力を検知する検知手段を備え、
前記第１照明手段及び前記第２照明手段は、前記検知手段の検知結果に基づき制御されることを特徴とする請求項２乃至４のいずれか１項に記載の撮像装置。
【請求項６】
少なくとも、前記筐体に配置され前記ユーザに操作される操作手段、マイク、および、前記ユーザの動作を検知する動作センサのいずれか一つを備えることを特徴とする請求項５に記載の撮像装置。
【請求項７】
前記検知手段は、前記操作手段に対してされた操作を検知することを特徴とする請求項６に記載の撮像装置。
【請求項８】
前記検知手段は、前記マイクによって集音された音を検知することを特徴とする請求項６または７に記載の撮像装置。
【請求項９】
前記検知手段は、前記動作センサに対してされた動作を検知することを特徴とする請求項６乃至８のいずれか１項に記載の撮像装置。
【請求項１０】
前記検知手段によって検知された動作に基づいて、前記ユーザの姿勢を取得し、前記ユーザの姿勢に基づいて、少なくとも前記第１照明手段および前記第２照明手段のいずれか一方を制御することを特徴とする請求項９に記載の撮像装置。
【請求項１１】
前記操作手段、前記マイク、および、前記動作センサのうち、少なくとも２つを備え、
前記検知手段が、前記操作手段に対してされた操作、前記マイクによって集音された音、および、前記動作センサに対してされた動作から、検知する対象を選択可能なモードを有することを特徴とする請求項６乃至１０のいずれか１項に記載の撮像装置。
【請求項１２】
ウエアラブルカメラであることを特徴とする請求項１乃至１１のいずれか１項に記載の撮像装置。
【請求項１３】
前記筐体は、前記ユーザの頸部に沿う形状を有し、
前記第１照明手段及び前記第２照明手段は、装着時において、前記筐体の外周面に配置されることを特徴とする請求項１２に記載の撮像装置。
【請求項１４】
前記筐体は、Ｕ字形状を有することを特徴とする請求項１３に記載の撮像装置。
【発明の詳細な説明】
【技術分野】
【０００１】
本発明は撮像装置に関するものである。
【背景技術】
【０００２】
近年、身体に装着可能な撮像装置として、ウエアラブルカメラが良く知られている。その形態は様々だが、頸部から下げたり、耳に掛けたりして前方を撮影する形態が良く知られている。その用途も様々である。たとえば、警察向けであれば、長時間撮影することで証拠資料を残すための手段としての用途もある。一般消費者向けとしては、日常の記録を残すための手段としての用途もある。
【０００３】
従来のウエアラブルカメラは、主に前方を撮影することを目的としたカメラが多いが、たとえば、アクションカメラとして知られている手持ちカメラでは全方位撮影できるものも多い。目的に応じてウエアラブルカメラと手持ち全方位カメラをユーザは選択するが、さらにハンズフリーで全方位を撮影するニーズも高まってきている。
【０００４】
ウエアラブルカメラの使用シーンはとしては様々なシーン考えられる。たとえば、警察向けであれば、日中あるいは夜間のパトロールで使われることが考えられる。撮影する映像も撮影環境に応じて、カラー映像として記録する場合と、白黒映像として記録する場合がある。たとえば、明るい環境下での撮影であれば、可視光を撮像部で受光してカラー映像として記録する。一方、暗い環境下で可視光を受光できない状況での撮影では、近赤外光を受光して白黒映像として記録する。このように暗い環境下では照明手段が必要になるが、その目的に応じて照明手段に求められる波長帯も様々である。特許文献１には、ＬＥＤライトを頭部に装着し、ＬＥＤライトのＯＮ／ＯＦＦスイッチを備えたコントロールユニットを背負う構成が提案されている。
【先行技術文献】
【特許文献】
【０００５】
【特許文献１】特許５８４１６８７号公報
【発明の概要】
【発明が解決しようとする課題】
【０００６】
特許文献１は、手術用など、一方向へ可視光の照射で十分な環境においては有用である。しかしながら、屋内外問わず様々なシーンで使用される可能性があるウエアラブルカメラにおいては、一方向に可視光を照射するのみでは、所望の画像が取得できない場合がある。
【０００７】
そこで、本発明の目的は、全方位を撮影可能であって、様々なシーンの撮影に対応可能な撮像装置を提供することである。
【課題を解決するための手段】
【０００８】
上記課題を解決するために、本発明の実施形態は、ユーザに装着可能な形状の筐体と、前記筐体に配置され、全方位を撮影可能な複数の撮像手段と、被写体または撮像領域の少なくとも一部に第１光を照射する第１照明手段と、を備えることを特徴とする。
【発明の効果】
【０００９】
本発明によれば、全方位を撮影可能であって、様々なシーンの撮影に対応可能な撮像装置を提供することができる。
【図面の簡単な説明】
【００１０】
【図１】第１実施形態に係るウエアラブルカメラの外観を示す斜視図である。
【図２】第１実施形態に係るウエアラブルカメラの上面図である。
【図３】カバーを外した状態を示す図である。
【図４】ウエアラブルカメラを人体に装着した状態を示す図である。
【図５】第２実施形態に係るウエアラブルカメラの外観を示す斜視図である。
【図６】第２実施形態に係るウエアラブルカメラの上面図である。
【図７】第２実施形態に係るウエアラブルカメラの内部構成を示すブロック図である。
【図８】第３実施形態に係るウエアラブルカメラの外観を示す斜視図である。
【図９】第３実施形態に係るウエアラブルカメラの内部構成を示すブロック図である。
【図１０】第４実施形態に係るウエアラブルカメラを説明する図である。
【図１１】第４実施形態に係るウエアラブルカメラの内部構成を示すブロック図である。
【発明を実施するための形態】
【００１１】
以下に、本発明の好ましい実施の形態を、添付の図面に基づいて詳細に説明する。なお、以下の実施形態において示す構成は一例に過ぎず、本発明は、図示された構成に限定されるものではない。
【００１２】
（第１実施形態）
本発明の第１実施形態について図１〜４を用いて詳細に説明する。図１は、第１実施形態に係るウエアラブルカメラ１の外観を示す斜視図である。図２は、第１実施形態に係るウエアラブルカメラ１の上面図である。ウエアラブルカメラ１は、ユーザ（撮影者）の肩に掛けて使用する撮像装置である。また、ウエアラブルカメラ１は、ユーザの頸部に装着して使用するとも言える。
【００１３】
筐体１０１は、前方が開いたＵ字形状を有し人体の頸部を覆うように形成されている。換言すると、筐体１０１は、ユーザがウエアラブルカメラ１を装着した時（以下装着時という）に、ユーザの頸部に沿う形状を有する。
【００１４】
筐体１０１には、レンズなどの光学部材（不図示）や撮像センサ（不図示）を含む第１撮像部１０２〜第４撮像部１０５が配置されている。第１撮像部１０２と第２撮像部１０３は、装着時において、主にユーザの前方を撮影し、第３撮像部１０４と第４撮像部１０５は、ユーザの横方向および後方を撮影する。これら４個の撮像部により全方位撮影可能となっている。
【００１５】
第１撮像部１０２〜第４撮像部１０５には、それぞれ光学フィルタ（不図示）が内蔵されている。昼間など照度が十分な環境下ではカラー映像を取得し、夜間など照度が十分ではない環境下では近赤外光を受光することで白黒映像を取得することができる。光学フィルタとしては、例えば、ＩＲ（ｉｎｆｒａｒｅｄ）カットフィルタがある。照度が十分な環境下ではＩＲカットフィルタを光路内に挿入して可視光のみを受光して、照度が十分でない環境下ではＩＲカットフィルタを光路外に退避させて近赤外を受光できるようにして白黒映像を取得する。その他バンドパスフィルタを用いて、近赤外光のみを受光する構成としても良いし、構成は限定されない。本実施形態では、４個の撮像部で構成しているが、装着時において、全方向、すなわち、装着時におけるユーザを基準とした３６０°方向を撮影できれば良く、３個以下、あるいは５個以上の撮像部で構成しても構わない。なお、以降単に撮像部という場合、第１撮像部１０２〜第４撮像部１０５を含む。
【００１６】
また、筐体１０１には、十分な照度がない環境下でも撮影できるように目的に応じた複数の照明手段が配置されている。これらの照明手段のＯＮ／ＯＦＦは、例えば、スイッチ１２０によって切り替えられても良い。スイッチ１２０は、例えば、ユーザが操作可能なスライド式のスイッチである。
【００１７】
図１に示すとおり、ウエアラブルカメラ１の装着時における前側にはカバー１２１が設けられている。図３は、カバー１２１を外した状態を示す図である。図４は、ウエアラブルカメラ１を人体３０３に装着した状態を示す図である。図４（Ａ）は、ウエアラブルカメラ１を人体３０３に装着した状態における上面図、図４（Ｂ）は、ウエアラブルカメラ１を人体３０３に装着した状態における側面図を示している。
【００１８】
第１照明部は、所定の照度未満、例えば、暗闇などの明かりがない環境でも白黒映像を取得できるように近赤外波長帯域に含まれる波長の第１光を照射する。第１光は、中心波長が８５０ｎｍの近赤外光であることが好ましい。第１照明部は、第１光を横および後方に照射できるように、筐体１０１の外周面に配置されており、被写体（撮像対象）または撮像領域の少なくとも一部に第１光を照射する。具体的には、装着時におけるユーザの前方を照射範囲３０２Ａおよび３０２Ｂの範囲で照射するために、前方の左右の端部に一対のＩＲＥＤ１０６Ａが配置されている。また、装着時におけるユーザの横方向を照射範囲３０１Ａおよび３０１Ｃの範囲で照射するために、左右側面には、ＩＲＥＤ左１０８ＡとＩＲＥＤ右１０８Ｂが配置されている。さらに装着時における、後方を照射範囲３０１Ｂの範囲で照射するために後方中央部にはＩＲＥＤ１１０が配置されている。第１照明部で被写体を照射して、その反射光である近赤外光を撮像部で受光することで、暗闇においても白黒映像を取得することができる。なお、本明細書において、単に右、左、前、後という場合は、ウエアラブルカメラを装着した状態におけるユーザを基準とする。
【００１９】
暗闇で映像を取得する方法としては、例えば、ハロゲンランプのような白色光源を用いて被写体等を照明する方法が考えられる。白色光源であれば、広い波長帯を有する光なので様々な撮影シーンに対応することができる。しかしながら、白色光源は可視波長を含む光であるため、例えば、自分の存在が知られないようにしつつ、映像を取得することは困難である。近赤外光を照射することで、このような状況下においても、映像を取得することが可能となる。
【００２０】
第２照明部は、所定の照度未満、例えば、暗闇など、明かりがない環境でもユーザが前方等を目視できるように、第１光とは異なる波長であって、可視波長帯域に含まれる波長の第２光を照射する。第２光は、波長帯が４００〜７００ｎｍ帯の可視光であることが好ましい。第２照明部は、第２光を前方照射できるように、筐体１０１の外周面に第２光を配置されている。具体的には、装着時における前方を照射範囲３０２Ａおよび３０２Ｂの範囲で照射するために、装着時における前方の左右の端部に一対のＬＥＤ１０６Ｂが配置されている。第２照明部で、前方を照明することで暗闇など、明かりの無い環境でも前方を目視することができる。
【００２１】
第１および第２照明部は、例えば、撮影環境の明るさに応じて点灯と消灯が切り替わる。具体的には、筐体１０１には照度センサ（不図示）が設けられており、照度センサで検知した照度があらかじめ決められた閾値より高い場合は照明不要と判断して第１および第２照明部は消灯される。一方、検知した照度があらかじめ決められた閾値よりも低い場合は照明必要と判断して、第１および第２照明部が点灯される。照度センサを用いた制御については公知の技術であるため、詳細は省略する。
【００２２】
一般的に、ウエアラブルカメラはユーザが止まっている間だけでなく例えば歩行中等、ユーザが動いている間に撮影することも多い。そのため、例えば、夜間の撮影において白黒映像を取得するために近赤外光を照射するだけでは、ユーザの進行方向は目視するには暗く、歩行しながら撮影することは困難である。そのため、本実施形態のように目視のために進行方向を可視光で照明することで、夜間の撮影も容易になる。
【００２３】
以上の通り、異なる波長帯の照明を配置することで、昼夜を問わず撮影可能な肩掛け型のウエアラブルカメラが実現できる。例えば、暗闇で光の無い環境下のパトロールであれば、前方は目視できることが望ましいので、前方には可視照明を照射し、横および後方は暗闇でも白黒映像を取得できるように近赤外照明を照射することが望ましい。暗闇の捜査などで、自分の存在を知られないようにしつつ、映像は記録したい場合などは、全方位に近赤外照明を照射することが望ましい。
【００２４】
本実施形態では、照明の手段としてＩＲＥＤまたはＬＥＤを用いたが低光量レーザーなど人に対する照明として使用できる手段であれば、その他の手段でも構わない。配置される光源の数量や位置に関しても所望の範囲に光を照射できれば、本実施例に述べた構成に限定されない。光源の波長は、可視光であれば４００〜７００ｎｍ、近赤外であれば中心波長８５０ｎｍとしたが、その他の波長でも構わない。また、第１照明部または第２照明部のいずれか一方のみを備える構成であっても良い。
【００２５】
（第２実施形態）
第１実施形態では前方を可視照明および近赤外照明、横および後方を近赤外照明で照明する構成について述べたが、撮影シーンによっては、それらをユーザからの入力によって適宜切り替えられることが望ましい。図５、図６を用いてその詳細について述べるが、第１実施形態と重複する構成については説明を省略する。
【００２６】
図５は、第２実施形態に係るウエアラブルカメラ２の外観を示す斜視図である。本図では、前方の照明を覆うカバー１２１を外した状態を示している。図６は、第２実施形態に係るウエアラブルカメラ２の上面図である。撮像部は第１実施形態と同様に配置されている。
【００２７】
第１実施形態において説明した照明手段に加えて、横および後方には波長帯が４００〜７００ｎｍでの可視光源である、ＬＥＤ１０９Ａ、ＬＥＤ１０９Ｂ、ＬＥＤ１１１が配置されている。これらの照明手段の配置により、全方位に可視光および近赤外光を照射できる構成となっている。撮影シーンによっては、これらの照明手段は適宜切り替えられることが望ましい。例えば、夕暮れ時のパトロールなど、カラー映像を取得するためには照度が十分ではないが、補助的な可視照明手段があればカラー映像を取得できるような場合には、全方位に可視光を照射できることが望ましい。暗闇でのパトロールなど、カラー映像を取得することが困難な場合には、前方は目視するための可視光と白黒映像を取得するための近赤外光を照射できることが望ましい。また、横および後方は目視の必要はないので白黒映像を取得するための近赤外光のみを照射できることが望ましい。さらに、暗闇での捜査など、自分の存在が相手に知られないようにするためには全方位に近赤外光を照射することが望ましい場合もある。このように目的に応じて照明手段を切り替えるフローについて次に述べる。
【００２８】
ウエアラブルカメラ２の側面にはユーザが操作可能なスライド式のスイッチ２２０が設けられている。スイッチ２２０は、照明ＯＦＦを含めて少なくとも四段階で切り替え可能であり、それぞれのスイッチの位置に対応して照明が切り替わる。例えば、最も前方の第１位置２１１では、第１照明部および第２照明部がＯＦＦとなる。第２位置２１２では、全方位に可視照明が照射される。つまり、第２位置２１２では、全ての第２照明部のみが点灯する。第３位置２１３では、前方は可視光および近赤外光、横および後方は近赤外光が照射される。つまり、ＬＥＤ１０６Ｂと、ＩＲＥＤ１０６Ａ、ＩＲＥＤ１１０が点灯する。第４位置２１４では、全方位に近赤外光が照射される。つまり、第１照明部のみが点灯する。
【００２９】
図７は、第２実施形態に係るウエアラブルカメラ２の内部構成の一例を示すブロック図である。撮像部２３０は、第１撮像部１０２〜第４撮像部１０５を含む。検知部２４０は、外部からの入力を検知する。具体的には、検知部２４０は、スイッチ２２０の切り替えを電気的に検知する。検知部２４０は、検知した電気信号を制御部２５０に出力する。制御部２５０は、ウエアラブルカメラ２の各部の制御を行う、例えば、制御基板である。制御部２５０は、検知部２４０の検知結果に基づき、第１照明部および第２照明部２７０を制御する。具体的には、制御部２５０は、スイッチ２２０から出力された電気信号に基づき、第１照明部および第２照明部２７０のＯＮ／ＯＦＦを含む制御を行う。
【００３０】
以上の通り、異なる波長帯の照明をユーザからの入力に応じて切り替えられるようにすることで、様々なシーンでも撮影可能な小型ウエアラブルカメラが実現できる。本実施形態では、照明手段としてＩＲＥＤまたはＬＥＤを用いたが低光量レーザーなど人に対する照明として使用できる手段であれば、その他の手段でも構わない。配置される光源の数量や位置に関しても所望の範囲を照明できれば、本実施形態に述べた構成に限定されない。
【００３１】
（第３実施形態）
第２実施形態では、ユーザからの入力方法として、ユーザが操作可能なスライド式のスイッチ２２０を用いた構成を提案したが、ユーザからの入力方法としては物理的なスイッチのみならず、音声入力やなども含まれる。その構成について図８および図９を用いて次に述べる。
【００３２】
図８は、第３実施形態に係るウエアラブルカメラ３の外観を示す斜視図である。本図では、前方の照明を覆うカバー１２１を外した状態を示している。本実施形態における撮像部、第１照明部および第２照明部、および、スイッチ２２０の配置は第２実施形態と同様であるため、説明を省略する。
【００３３】
本実施形態では、装着時における筐体１０１の前方には、マイク２０６が配置されている。マイク２０６としては、例えば、ＭＥＭＳマイクなどがあるが、その他のマイクでも構わない。マイク２０６は、ユーザの声などを集音する。
【００３４】
図９は、第３実施形態に係るウエアラブルカメラ３の内部構成の一例を示すブロック図である。ユーザがマイク２０６に向かって音声指示としての言葉を発すると、検知部２４０がその言葉を検知する。検知部２４０は、該音声を制御部２５０に出力する。制御部２５０は、該音声を処理し、処理した結果を信号に変換し、その信号に基づき、第１照明部２６０および第２照明部２７０を制御する。
【００３５】
第１照明部２６０および第２照明部２７０を制御するための入力手段を複数有することで、状況に応じてユーザが有効な入力手段を選択可能なモードを有していても良い。例えば、意図せずに照明が切り替わらないようにする場合には、音声入力による制御は無効にして、スイッチ２２０による制御のみを有効にしても良い。一方、利便性を求める場合には、スイッチ２２０による入力に加えて、音声入力も有効にすることで、ハンズフリーで、第１照明部２６０および第２照明部２７０を制御できるようにしても良い。
【００３６】
以上のような構成により、容易に第１照明部２６０および第２照明部２７０を制御することができるので、様々なシーンでも撮影可能な小型ウエアラブルカメラが実現できる。
【００３７】
なお、本実施形態では、スイッチ操作と音声入力により、第１照明部２６０および第２照明部２７０の制御を可能とした。しかし、ウエアラブルカメラ３がユーザのジェスチャー（動作）を検知する動作センサを備え、動作センサに対してされた動作を検知部２４０によって検知することにより、第１照明部２６０および第２照明部２７０を制御できるようにしてもよい。動作センサとしては、例えば、人感センサ、ジャイロセンサ、加速度センサなどを用いてもよい。
【００３８】
人感センサは、例えば、赤外線、超音波、可視光、または、これらの組み合わせを用いて人体３０３を検知し、これに基づき、検知部２４０はユーザの動作を検知する。例えば、ユーザが人感センサに手をかざすことで、第１照明部２６０および第２照明部２７０を制御してもよい。ジャイロセンサは、ウエアラブルカメラ３の角速度（つまり、単位時間あたりの回転角）を検知し、これに基づき、検知部２４０はユーザの動作を検知する。加速度センサは、ウエアラブルカメラ３の直行座標系の３軸方向（いわゆる、ｘ軸，ｙ軸，ｚ軸）の加速度を検知し、これに基づき、検知部２４０はユーザの動作を検知する。また、動作センサとして、その他の手段を用いても良いし、これらを併用しても良い。
【００３９】
（第４実施形態）
第４実施形態では、より多様な範囲を第１照明部によって照明する。その構成について図１０および図１１を用いて次に述べる。
【００４０】
図１０は、第４実施形態に係るウエアラブルカメラ４を説明する図である。図１０（Ａ）は、第４実施形態に係るウエアラブルカメラ４の外観を示す斜視図である。本図では、前方の照明を覆うカバー１２１を外した状態を示している。図１０（Ｂ）は、ウエアラブルカメラ４を人体３０３に装着した状態を示す図である。ウエアラブルカメラ４は、第２照明部として、一対のＬＥＤ１０６Ｂ、ＬＥＤ１０９Ａ、ＬＥＤ１０９Ｂ、および、ＬＥＤ１１１の他に、一対のＬＥＤ４０１、一対のＬＥＤ４０２、一対のＬＥＤ４０３、および、一対のＬＥＤ４０４を備える。
【００４１】
ＬＥＤ４０１は、装着時において、上方向を照射範囲４１１の範囲に可視光を照射し、ユーザの顔を照明する。ＬＥＤ４０２は、装着時におけるユーザの上前方である照射範囲４１２の範囲に可視光を照射する。ＬＥＤ４０３は、装着時におけるユーザの前方である照射範囲４１３の範囲に可視光を照射する。ＬＥＤ４０４は、装着時におけるユーザの下前方である照射範囲４１４の範囲に可視光を照射する。
【００４２】
また、ＬＥＤ４０１〜４０４が配置されるウエアラブルカメラ４の筐体１０１の端部４００は、それぞれ、第１撮像部１０２または第２撮像部１０３の光軸を回転軸として、回動可能である。このように、様々な範囲を照射するＬＥＤを備え、かつ、ＬＥＤが配置された端部４００が駆動することにより、暗闇においてもユーザが目視したい範囲により適切に可視光を照射することができる。
【００４３】
それぞれの光源の制御方法としては、第２実施形態または第３実施形態と同様としても良いが、例えば、ユーザの姿勢に基づいて、第１照明部２６０および第２照明部２７０を制御しても良い。
【００４４】
図１１は、第４実施形態に係るウエアラブルカメラ４の内部構成の一例を示すブロック図である。ウエアラブルカメラ４は、ユーザの姿勢を検出するジャイロセンサ４２１および加速度センサ４２２を備える。ジャイロセンサ４２１はウエアラブルカメラ３の角速度（つまり、単位時間あたりの回転角）を検知する。加速度センサ４２２はウエアラブルカメラ３の直行座標系の３軸方向（いわゆる、ｘ軸，ｙ軸，ｚ軸）の加速度を検知する。検知部２４０は、ジャイロセンサ４２１および加速度センサ４２２からの出力に基づき、ユーザの姿勢を検知する。ユーザが姿勢を変更すると、ジャイロセンサ４２１および加速度センサ４２２からの信号により、検知部２４０が姿勢の変更を検知する。検知部２４０は、ジャイロセンサ４２１および加速度センサ４２２からの信号を制御部２５０に出力する。制御部２５０は、該信号を処理し、処理した結果に基づき、第１照明部２６０、第２照明部２７０、および、駆動部４２３を制御する。駆動部４２３は、制御部２５０の指令に基づき、端部４００を駆動する。
【００４５】
具体的には、例えば、ユーザが屈んだことがジャイロセンサ４２１および加速度センサ４２２によって、検知された場合、ＬＥＤ４０４を点灯させ、ユーザの下前方を照明する。また、ユーザが傾いたことが検知された場合は、ユーザが傾いた方向を照明するように、駆動部４２３によって、端部４００を回動駆動する。
【００４６】
以上によれば、暗闇においてもユーザが目視したい範囲をより適切に照明することができる。
【００４７】
＜その他の実施形態＞
以上、本発明の好ましい実施形態について説明したが、本発明はこれらの実施形態に限定されず、その要旨の範囲内で種々の変形及び変更が可能である。上述の実施形態においては、一例として、ユーザの肩に掛けて使用する例を説明したが、例えば、頭、胸部、腹部に装着可能に構成することも可能である。
【００４８】
またＬＥＤは、変色できる構成としても良い。さらに、ＬＥＤを点滅させるモードを有していても良い。
【符号の説明】
【００４９】
１，２，３，４  ウエアラブルカメラ
１０１          筐体
１２０，２２０  スイッチ
２０６          マイク
２３０          撮像部
２４０          検知部
２５０          制御部
２６０          第１照明部
２７０          第２照明部
４２１          ジャイロセンサ
４２２          加速度センサ
４２３          駆動部
【図１】
2020197656.tif 000003
【図２】
2020197656.tif 000004
【図３】
2020197656.tif 000005
【図４】
2020197656.tif 000006
【図５】
2020197656.tif 000007
【図６】
2020197656.tif 000008
【図７】
2020197656.tif 000009
【図８】
2020197656.tif 000010
【図９】
2020197656.tif 000011
【図１０】
2020197656.tif 000012
【図１１】
2020197656.tif 000013